(57)【要約】  【課題】  下屋根部の構造強度を十分に確保しながら、施工性に優れた吹付けにより均一な厚みで連続性のある気密断熱層を形成して木造住宅建物の気密断熱性能を向上する。  【解決手段】  側壁部Ｗ１，Ｗ２では柱１Ａ，１Ｂの外側にボード状断熱材２Ａ，２Ｂを固定し、下屋根部Ｒでは、梁１０に小屋束１２を介して固定支持させた母屋１３の下部に断熱下地１４を介してボード状断熱材２Ｃを取付け、それら各ボード状断熱材２Ａ，２Ｂ，２Ｃの室内側の面に、スプレーガンを用いて発泡ウレタンを吹付けることにより、内面全域に亘って連続した現場発泡気密断熱層１５を形成する。  【選択図】      図２
2005126948.tif 000002
【特許請求の範囲】
【請求項１】
側壁部の途中から外方斜め下方に向けて延在された下屋根部を有する木造住宅建物の側壁部及び下屋根部を含めた内面全域を、ボード状断熱材とこのボード状断熱材の室内側の面に発泡樹脂を吹付けて形成される現場発泡気密断熱層とにより気密断熱施工する木造住宅建物の気密断熱施工法であって、
側壁部では柱の外側にボード状断熱材を打ち込み固定するとともに、下屋根部では前記ボード状断熱材の厚み分だけ外側に偏位した箇所の梁部分に小屋束を介して母屋を固定支持させ、この母屋の下部に断熱下地を介して前記柱外側のボード状断熱材に連なるボード状断熱材を取付けた後、それら各ボード状断熱材の室内側の面に現場発泡気密断熱層を連続的に吹付け施工し、しかる後、前記下屋根部を施工することを特徴とする木造住宅建物の気密断熱施工法。
【請求項２】
前記現場発泡気密断熱層が、現場発泡ウレタンの吹付けにより形成されるものである請求項１に記載の木造住宅建物の気密断熱施工法。
【請求項３】
前記柱の外側に打ち込み固定されたボード状断熱材と側壁外装板との間及び下屋根部の屋根材とボード状断熱材との間には、連続した通気路が形成される請求項１または２に記載の木造住宅建物の気密断熱施工法。
【発明の詳細な説明】
【技術分野】
【０００１】
本発明は、下屋根部を有する木造住宅建物の内面全域を、ボード状断熱材とこのボード状断熱材の室内側の面に吹付けられる現場発泡気密断熱層とにより気密断熱施工する木造住宅建物の気密断熱施工法に関するものである。
【背景技術】
【０００２】
木造住宅建物において、冷暖房のための消費エネルギーをできるだけ節減する、いわゆる、省エネルギー化を図る上で室内全域の気密性能及び断熱性能を高めることは非常に重要であり、そのために、ボード状断熱材を敷詰めるととともに、このボード状断熱材の室内側の面に、ボード状断熱材の目地部隙間等を塞ぐように発泡ウレタン等の発泡樹脂をスプレーガンにより現場で吹付けて所定厚みの発泡気密断熱層を形成する気密断熱施工法が望ましい。
【０００３】
ところで、側壁部の途中から外方斜め下方に向けて延在された下屋根部を有する木造住宅建物における下屋根部構造は、一般的に図３及び図４に示すように構成されている。すなわち、下屋根部Ｒよりも上部室内の側壁部Ｗ１における柱１Ａと下屋根部Ｒ直下の室内（下屋）の側壁部Ｗ２における柱１Ｂとは梁１０や小梁１０ａ等により相互に固定連結されており、上下両側壁部Ｗ１，Ｗ２では、柱１Ａ，１Ｂの外側にそれぞれウレタンボード等のボード状断熱材２Ａ，２Ｂが外装板１１Ａ，１１Ｂとの間に打ち込み固定されて敷詰められているとともに、下屋根部Ｒにおける柱１Ａの外側には掛け３が固定され、この掛け３の上に垂木４を介して下地材５が張設固定され、この下地材５上にウレタンボード等の断熱材２Ｃが取付けられているとともに、その上部に屋根垂木６、屋根下地材７及びアスファルトルーフィング８を介して屋根材９を敷設することにより断熱性を有する下屋根部Ｒが構成されている。
【０００４】
上記のような構造の下屋根部Ｒを有する木造住宅建物において、各ボード状断熱材２Ａ，２Ｂ，２Ｃの目地部隙間等を塞ぐように室内全域を気密処理するにあたり、従来は、前記側壁部Ｗ１，Ｗ２及び下屋根部Ｒのボード状断熱材２Ａ，２Ｂ及び２Ｃの室内側の面に向けて室内側から現場発泡ウレタン等をスプレーガンにより吹付けて発泡気密断熱層を形成する気密断熱施工法が採用されていた。
【発明の開示】
【発明が解決しようとする課題】
【０００５】
しかし、上記のような構造の下屋根部Ｒでは、室内側から発泡ウレタン等を吹付けるとき、スプレーガンの動きが梁１０や小梁１０ａ等により邪魔されるために、吹付け厚みが薄くなる箇所が発生して厚みが不均一で不連続な気密断熱層が形成されることになり、殊に、スプレーガンによる吹付け工法の場合は、吹付け面から一定の距離を保って吹付けなければ、一定厚みにならないばかりか、気密断熱層の品質も均一なものとならず、その結果、住宅建物全体として十分な気密性能、断熱性能が得られないという問題があった。また、そのような問題のあるスプレーガンによる吹付け施工に代えて、例えば手作業で気密性のある塗料等を塗布して厚みが均一で連続性のある気密断熱層を形成することも考えられるが、この場合は、多大な施工時間及び施工コストを要するという問題がある。
【０００６】
本発明は上記実情に鑑みてなされたもので、下屋根部の構造強度を十分に確保しながら、施工性に優れた吹付けによって均一な厚みで連続性のある気密断熱層を形成して気密断熱性能の向上を図ることができる木造住宅建物の気密断熱施工法を提供することを目的としている。
【課題を解決するための手段】
【０００７】
上記目的を達成するために、本発明に係る木造住宅建物の気密断熱施工法は、側壁部の途中から外方斜め下方に向けて延在された下屋根部を有する木造住宅建物の側壁部及び下屋根部を含めた内面全域を、ボード状断熱材とこのボード状断熱材の室内側の面に発泡樹脂を吹付けて形成される現場発泡気密断熱層とにより気密断熱施工する木造住宅建物の気密断熱施工法であって、側壁部では柱の外側にボード状断熱材を打ち込み固定するとともに、下屋根部では前記ボード状断熱材の厚み分だけ外側に偏位した箇所の梁部分に小屋束を介して母屋を固定支持させ、この母屋の下部に断熱下地を介して前記柱外側のボード状断熱材に連なるボード状断熱材を取付けた後、それら各ボード状断熱材の室内側の面に現場発泡気密断熱層を連続的に吹付け施工し、しかる後、前記下屋根部を施工することを特徴とするものである。
【０００８】
特に、本発明における現場発泡気密断熱層としては、請求項２に記載のように、現場発泡ウレタンの吹付けにより形成することが望ましく、また、請求項３に記載のように、柱の外側に打ち込み固定されたボード状断熱材と側壁外装板との間及び下屋根部の屋根材とボード状断熱材との間に連続した通気路を形成することが望ましい。
【発明の効果】
【０００９】
上記のような特徴を有する本発明によれば、下屋根部の構造として、柱に強度連結された梁に小屋束を介して母屋を固定支持させ、この母屋の下部に断熱下地を介してボード状断熱材を取付けるといった構成を採用することにより、従来と同等もしくはそれ以上の構造強度を確保しながら、ボード状断熱材の下部に、室内側からスプレーガンを用いて発泡樹脂を吹付けるとき、そのスプレーガンの動きを制約したり、邪魔したりする梁や小梁などの障害物を非常に少なくして吹付作業のしやすいスペースを持つ吹付け面を形成することができる。したがって、気密性塗料等を塗布するといった時間及びコストのかかる手作業を全く必要とせず、スプレーガンを用いた施工性、経済性に優れた吹付けによって側壁部の内面だけでなく、下屋根部におけるボード状断熱材の内面にも均一厚みで、かつ、連続性のある気密断熱層を形成することができ、その結果、木造住宅建物全体としての気密断熱性能を著しく向上することができるという効果を奏する。
【００１０】
特に、上述のような非常に優れた気密断熱性能を確保できるので、側壁部におけるボード状断熱材と外装板との間及び下屋根部の屋根とボード状断熱材との間に連続した通気路を形成することにより、気密断熱性能を低下させないで木造住宅建物の換気性能も高めて居住性の一層の向上を達成することができる。
【発明を実施するための最良の形態】
【００１１】
以下、本発明の実施の形態を図面にもとづいて説明する。
図１は本発明に係る木造住宅建物の気密断熱施工法を実施する下屋根部の構造及びその下屋根部に対する具体的な気密断熱施工手順を説明する斜視図であり、図２はその下屋根部及び側壁部を含めて内面全域の気密断熱施工が完了した状態を示す要部の縦断面図である。なお、以下の説明において、図３及び図４で示した従来の下屋根部構造及び気密断熱施工法と同一の構成要素には同一の符号を使用して説明する。
【００１２】
梁１０や小梁１０ａ等により相互に固定連結されている下屋根部Ｒよりも上部室内の側壁部Ｗ１における柱１Ａ及び下屋根部Ｒ直下の下屋室内の側壁部Ｗ２における柱１Ｂの外側にはそれぞれウレタンボード等のボード状断熱材２Ａ，２Ｂが外装板１１Ａ，１１Ｂとの間に打ち込み固定されて敷詰められている。一方、下屋根部Ｒでは、前記上部室内の側壁部Ｗ１におけるボード状断熱材２Ａの厚み分だけ外側に偏位した箇所の梁１０部分に小屋束１２を介して母屋１３を固定支持し、この母屋１３の下面に多数の断熱下地１４を打ち付けるとともに、これら断熱下地１４の下面にウレタンボード等のボード状断熱材２Ｃをその下屋根部Ｒ勾配方向の両端部が前記両側壁部Ｗ１，Ｗ２におけるボード状断熱材２Ａ，２Ｃに当接する状態に取付ける。
【００１３】
このようなボード状断熱材２Ｃの取付けによって、下屋根部Ｒの下部には、図１に明瞭に示されているように、下屋室内側に小梁１０ａの一部が露出するだけの十分に広く、かつ、偏平な吹付け面が形成されることになる。しかる後、前記両側壁部Ｗ１，Ｗ２におけるボード状断熱材２Ａ，２Ｂの内面及び下屋根部Ｒにおけるボード状断熱材２Ｃの前記吹付け面に対して、スプレーガンを用いて現場発泡ウレタンを各ボード状断熱材２Ａ，２Ｂ，２Ｃの目地部隙間等を塞ぐように吹付け施工することにより、図２に明示されているように、一定厚みの現場発泡気密断熱層１５を連続的に形成して住宅建物全体として優れた気密性能及び断熱性能を確保することができる。
【００１４】
その後は、前記母屋１３上に屋根垂木６を取付け、続いて、屋根下地材７及びアスファルトルーフィング８を介して屋根材９を敷設することにより、所定の下屋根部Ｒを施工する。なお、柱１Ａ，１Ｂの外側に打ち込み固定されたボード状断熱材２Ａ，２Ｂと側壁外装板１１Ａ，１１Ｂとの間及び下屋根部Ｒの屋根材９とボード状断熱材２Ｃとの間には連続した通気路１６が形成されており、これによって、上述した優れた気密断熱性能を保持したままで木造住宅建物の換気性能も高めて、居住性の一層の向上を達成することができる。
【００１５】
なお、上記実施の形態では、現場発泡気密断熱層１５を発泡ウレタンの吹付けにより形成したが、ウレタン以外の発泡樹脂を用いてもよいこともちろんである。
【図面の簡単な説明】
【００１６】
【図１】本発明に係る木造住宅建物の気密断熱施工法を実施する下屋根部の構造及びその下屋根部に対する具体的な気密断熱施工手順を説明する斜視図である。
【図２】同上木造住宅建物における下屋根部及び側壁部を含めて内面全域の気密断熱施工が完了した状態を示す要部の縦断面図である。
【図３】従来の木造住宅建物における下屋根部の構造を示す斜視図である。
【図４】同上従来の木造住宅建物における下屋根部の構造を示す要部の縦断面図である。
【符号の説明】
【００１７】
１Ａ，１Ｂ…柱、２Ａ，２Ｂ，２Ｃ…ボード状断熱材、９…屋根材、１０…梁、１１Ａ，１１Ｂ…外装板、１２…小屋束、１３…母屋、１４…断熱下地、１５…現場発泡気密断熱層、１６…通気路、Ｗ１，Ｗ２…側壁部、Ｒ…下屋根部。
【図１】
2005126948.tif 000003
【図２】
2005126948.tif 000004
【図３】
2005126948.tif 000005
【図４】
2005126948.tif 000006